【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
円柱状の電極棒に、この電極棒の直径の数分の１以下の直径に形成されたワイヤをコイル状に巻回し、このワイヤを前記電極棒に接合して形成された放電灯電極において、
前記ワイヤを溶融させたフィレット状の溶融部によってワイヤが電極棒に接合されてなることを特徴とする放電灯電極。
【請求項２】
円柱状の電極棒の端面が、この電極棒の中心軸上を頂点とする凸面に形成されてなる放電灯電極において、
前記電極棒の端面が、レーザー照射による溶融により前記電極棒の中心軸上を頂点とする凸面に形成されてなることを特徴とする放電灯電極。
【請求項３】
円柱状の電極棒に、この電極棒の直径の数分の１以下の直径に形成されたワイヤをコイル状に巻回し、このワイヤを電極棒に接合して形成される放電灯電極の製造方法において、
前記ワイヤの任意部位をレーザー照射によって溶融し、この溶融部がレーザー照射によって加熱された電極棒に流動接着することにより、この電極棒に前記ワイヤを接合することを特徴とする放電灯電極の製造方法。
【請求項４】
円柱状の電極棒に、この電極棒の直径の数分の１以下の直径に形成されたワイヤをコイル状に巻回し、このワイヤにレーザー光を照射することでこのワイヤを前記電極棒に接合して形成される放電灯電極の製造方法において、
前記レーザー光のビーム強度分布はガウシアン分布であり、このガウシアン分布の最大値の半値以上の領域となるビーム径の外周部が、前記ワイヤに接するようにして、ワイヤの直径より大きな集光スポットで且つ１０ｍｓ以上のパルス幅のレーザー光を前記電極棒上に照射して、少なくともワイヤを溶融させ、その溶融物が加熱もしくは溶融した前記電極棒上の所定範囲に流動することにより、ワイヤを電極棒に接合することを特徴とする放電灯電極の製造方法。
【請求項５】
円柱状の電極棒に、この電極棒の直径の数分の１以下の直径に形成されたワイヤをコイル状に巻回し、このワイヤにレーザー光を照射することでこのワイヤを前記電極棒に接合して形成される放電灯電極の製造方法において、
前記レーザー光のビーム強度分布はガウシアン分布であり、このガウシアン分布の最大値の半値以上の領域となるビーム径の部分が、前記ワイヤ上になるようにして、ワイヤの直径より大きな集光スポットで且つ１０ｍｓ以上のパルス幅のレーザー光を照射して、ワイヤの余剰部を溶融により切断して切り離すと同時に、ワイヤの溶融による溶融物が加熱もしくは溶融した前記電極棒上の所定範囲に流動することにより、ワイヤを電極棒に接合することを特徴とする放電灯電極の製造方法。
【請求項６】
円柱状の電極棒の端面が、この電極棒の中心軸上を頂点とする凸面に形成されてなる放電灯電極の製造方法において、
前記電極棒の中心軸方向から所定角度に集光されたレーザー光を照射し、レーザー光の集光スポットの直径が、電極棒の直径より大となる位置から小となる任意位置に電極棒の端面が位置するように配置してレーザー光により電極棒の端部を溶融させた後、溶融部位を凝固させることにより、電極棒の端面を中心軸上を頂点とする任意形状の凸面に形成することを特徴とする放電灯電極の製造方法。
【請求項７】
円柱状の電極棒の端面が、この電極棒の中心軸上を頂点とする凸面に形成されてなる放電灯電極の製造方法において、
前記電極棒を不活性ガス中に配設し、電極棒の中心軸方向から所定角度に集光されたレーザー光を照射し、レーザー光の集光スポットの直径が、電極棒の直径より大となる位置から小となる任意位置に電極棒の端面が位置するように配置して前記レーザー光により電極棒の端部を溶融させた後、溶融部位を凝固させることにより、電極棒の端面を中心軸上を頂点とする任意形状の凸面に形成することを特徴とする放電灯電極の製造方法。
【請求項８】
パルスレーザー発振器から出力されたレーザー光を、その波長光のみを選択的に反射させるミラーで所定方向に反射させ、このレーザー光を集光レンズにより集光するレーザー照射手段と、
電極棒を保持して、この電極棒のレーザー加工位置を前記集光レンズによって集光された所定のスポット径位置に所定角度にして配置するワークハンドリング手段と、
前記電極棒のレーザー加工位置から前記集光レンズ及びミラーを透過してきた光をカメラによって検出することにより、前記レーザー照射手段による電極棒の加工状態を認識し、この認識結果に基づいて前記レーザー照射手段及びワークハンドリング手段を制御する加工制御手段とを備えてなることを特徴とする放電灯電極の製造装置。
【手続補正２】
【補正対象書類名】明細書
【補正対象項目名】０００８
【補正方法】変更
【補正の内容】
【０００８】
【課題を解決するための手段】
上記目的を達成するための本願の第１発明に係る放電灯電極は、円柱状の電極棒に、この電極棒の直径の数分の１以下の直径に形成されたワイヤをコイル状に巻回し、このワイヤを前記電極棒に接合して形成された放電灯電極において、前記ワイヤを溶融させたフィレット状の溶融部によってワイヤが電極棒に接合されてなることを特徴とする。
【手続補正３】
【補正対象書類名】明細書
【補正対象項目名】００１０
【補正方法】変更
【補正の内容】
【００１０】
また、本願の第２に係る放電灯電極は、円柱状の電極棒の端面が、この電極棒の中心軸上を頂点とする凸面に形成されてなる放電灯電極において、前記電極棒の端面が、レーザー照射による溶融により前記電極棒の中心軸上を頂点とする凸面に形成されてなることを特徴とする。
【手続補正４】
【補正対象書類名】明細書
【補正対象項目名】００１４
【補正方法】変更
【補正の内容】
【００１４】
また、本願の第３発明に係る放電灯電極の製造方法は、円柱状の電極棒に、この電極棒の直径の数分の１以下の直径に形成されたワイヤをコイル状に巻回し、このワイヤを電極棒に接合して形成される放電灯電極の製造方法において、前記ワイヤの任意部位をレーザー照射によって溶融し、この溶融部がレーザー照射によって加熱された電極棒に流動接着することにより、ワイヤを電極棒に接合することを特徴とする。
【手続補正５】
【補正対象書類名】明細書
【補正対象項目名】００１６
【補正方法】変更
【補正の内容】
【００１６】
また、本願の第４発明に係る放電灯電極の製造方法は、円柱状の電極棒に、この電極棒の直径の数分の１以下の直径に形成されたワイヤをコイル状に巻回し、このワイヤにレーザー光を照射することでこのワイヤを前記電極棒に接合して形成される放電灯電極の製造方法において、レーザー光のビーム強度分布はガウシアン分布であり、このガウシアン分布の最大値の半値以上の領域となるビーム径の外周部が、前記ワイヤに接するようにして、このワイヤの直径より大きな集光スポットで且つ１０ｍｓ以上のパルス幅のレーザー光を前記電極棒上に照射して、少なくともこのワイヤを溶融させ、その溶融物が加熱もしくは溶融した前記電極棒上の所定範囲に流動することにより、ワイヤを電極棒に接合することを特徴とする。
【手続補正６】
【補正対象書類名】明細書
【補正対象項目名】００１８
【補正方法】変更
【補正の内容】
【００１８】
また、本願の第５発明に係る放電灯電極の製造方法は、円柱状の電極棒に、この電極棒の直径の数分の１の直径に形成されたワイヤをコイル状に巻回し、このワイヤにレーザー光を照射することでこのワイヤと前記電極棒との間を接合して形成される放電灯電極の製造方法において、レーザー光のビーム強度分布はガウシアン分布であり、このガウシアン分布の最大値の半値以上の領域となるビーム径の部分が、前記ワイヤ上になるようにして、このワイヤの直径より大きな集光スポットで且つ１０ｍｓ以上のパルス幅のレーザー光を照射して、ワイヤの余剰部を溶融により切断して切り離すと同時に、ワイヤの溶融による溶融物が加熱もしくは溶融した電極棒上の所定範囲に流動することにより、ワイヤを電極棒に接合することを特徴とする。
【手続補正７】
【補正対象書類名】明細書
【補正対象項目名】００２０
【補正方法】変更
【補正の内容】
【００２０】
また、本願の第６発明に係る放電灯電極の製造方法は、円柱状の電極棒の端面が、この電極棒の中心軸上を頂点とする凸面に形成されてなる放電灯電極の製造方法において、前記電極棒の中心軸方向から所定角度に集光されたレーザー光を照射し、レーザー光の集光スポットの直径が、電極棒の直径より大となる位置から小となる任意位置に電極棒の端面が位置するように配置してレーザー光により電極棒の端部を溶融させた後、溶融部位を凝固させることにより、電極棒の端面が中心軸上を頂点とする任意形状の凸面に形成することを特徴とする。
【手続補正８】
【補正対象書類名】明細書
【補正対象項目名】００２２
【補正方法】変更
【補正の内容】
【００２２】
また、本願の第７発明に係る放電灯電極の製造方法は、円柱状の電極棒の端面が、この電極棒の中心軸上を頂点とする凸面に形成されてなる放電灯電極の製造方法において、前記電極棒を不活性ガス中に配設し、電極棒の中心軸方向から所定角度に集光されたレーザー光を照射し、レーザー光の集光スポットの直径が、電極棒の直径より大となる位置から小となる任意位置に電極棒の端面が位置するように配置して前記レーザー光により電極棒の端部を溶融させた後、溶融部位を凝固させることにより、電極棒の端面が中心軸上を頂点とする任意形状の凸面に形成することを特徴とする。
【手続補正９】
【補正対象書類名】明細書
【補正対象項目名】００２７
【補正方法】変更
【補正の内容】
【００２７】
また、本願の第８発明に係る放電灯電極の製造装置は、パルスレーザー発振器から出力されたレーザー光を、その波長光のみを選択的に反射させるミラーで所定方向に反射させ、このレーザー光を集光レンズにより集光するレーザー照射手段と、電極棒を保持して、この電極棒のレーザー加工位置を前記集光レンズによって集光された所定のスポット径位置に所定角度にして配置するワークハンドリング手段と、電極棒のレーザー加工位置から前記集光レンズ及びミラーを透過してきた光をカメラによって検出することにより、前記レーザー照射手段による電極棒の加工状態を認識し、この認識結果に基づいて前記レーザー照射手段及びワークハンドリング手段を制御する加工制御手段とを備えてなることを特徴とする。